(57)【要約】【課題】車両のエンジンの停止とパーキングロック操作とを一連の連続した操作で行う場合等において、当該操作内容を簡略化して運転者の負担を軽減できる車両用スイッチシステムを提供すること。【解決手段】自動変速機５をパーキングレンジに切り換えるパーキングアクチュエータ６を備えた車両に設置される車両用スイッチシステム１である。車両のエンジン７が起動するオン状態と当該エンジン７が停止するオフ状態とを設定可能としたパワースイッチ１１と、自動変速機５をパーキングレンジに切り換えるべくパーキングアクチュエータ６にパーキング信号を送信する車両コントロールコンピュータ１３とを備えている。車両がエンジン７を作動させたまま停車した状態において、パワースイッチ１１が所定の時間内で操作されると、エンジン７が作動状態を維持しつつ、自動変速機５がパーキングレンジに切り換えられる。【選択図】図１
2008025633.tif 000002
【特許請求の範囲】
【請求項１】
パーキングレンジを含む複数種のシフトレンジが任意に設定可能とされる自動変速機と、該自動変速機をパーキングレンジに切り換えるパーキングアクチュエータと、を備えた車両に設置され、
前記車両のエンジンが起動するオン状態と当該エンジンが停止するオフ状態とを設定可能としたエンジン起動停止スイッチと、前記自動変速機をパーキングレンジに切り換えるべく前記パーキングアクチュエータにパーキング信号を送信する車両コントロール部と、を備えた車両用スイッチシステムにおいて、
前記車両がエンジンを作動させたまま停車した状態において、前記エンジン起動停止スイッチが所定の時間内で操作されると、前記エンジンが作動状態を維持しつつ、前記車両コントロール部から前記パーキングアクチュエータに前記パーキング信号が送信されて前記自動変速機がパーキングレンジに切り換えられるようにしたことを特徴とする車両用スイッチシステム。
【請求項２】
請求項１に記載の車両用スイッチシステムにおいて、
前記エンジン起動停止スイッチが、押圧操作自在に構成され、該押圧操作によって、前記エンジンが起動するオン状態と当該エンジンが停止するオフ状態とを設定可能としている車両用スイッチシステム。
【請求項３】
請求項１又は請求項２に記載の車両用スイッチシステムにおいて、
前記車両がエンジンを作動させたまま停車した状態において、前記エンジン起動停止スイッチが所定の時間内で操作されると、前記エンジンの作動状態が維持される一方、前記車両コントロール部から前記パーキングアクチュエータに前記パーキング信号が送信されて前記自動変速機がパーキングレンジに切り換えられるようにされ、さらに当該所定の時間を超えて前記エンジン起動停止スイッチが操作されると、前記自動変速機がパーキングレンジに入った状態を維持しながら、前記エンジンが停止するようにした車両用スイッチシステム。
【請求項４】
請求項１〜請求項３のいずれか一項に記載の車両用スイッチシステムにおいて、
前記自動変速機がパーキングレンジに入った状態、且つ、前記エンジンが作動状態である場合において、前記エンジン起動停止スイッチの操作により、その操作時間に拘わらず直ちに前記エンジンが停止するようにした車両用スイッチシステム。
【請求項５】
パーキングレンジを含む複数種のシフトレンジが任意に設定可能とされる自動変速機と、該自動変速機をパーキングレンジに切り換えるパーキングアクチュエータと、エンジンの起動及び停止を制御するエンジンコントロール部と、を備えた車両に設置され、
前記自動変速機をパーキングレンジに設定可能とするとともに、前記車両のエンジンが起動するオン状態と当該エンジンが停止するオフ状態とを設定可能としたパーキングポジションスイッチと、
前記自動変速機をパーキングレンジに切り換えるべく前記パーキングアクチュエータにパーキング信号を送信するとともに、前記車両のエンジンを停止状態とするべく前記エンジンコントロール部にエンジン停止信号を送信する車両コントロール部と、を備えた車両用スイッチシステムであって、
前記車両がエンジンを作動させたまま停車した状態において、前記パーキングポジションスイッチが所定の時間内で操作されると、前記エンジンが作動状態を維持しながら、前記車両コントロール部から前記パーキングアクチュエータに前記パーキング信号が送信されて前記自動変速機がパーキングレンジに切り換えられ、さらに当該所定の時間を超えて前記パーキングポジションスイッチが操作されると、前記自動変速機がパーキングレンジに入った状態を維持するとともに、前記車両コントロール部から前記エンジンコントロール部にエンジン停止信号が送信され、前記エンジンが停止するようにしたことを特徴とする車両用スイッチシステム。
【発明の詳細な説明】
【技術分野】
【０００１】
本発明は、自動車等の車両に備えられ、該車両のエンジンを起動停止するか、又は、前記車両の自動変速機のシフトレンジを設定するための車両用スイッチシステムに関する。
【背景技術】
【０００２】
近年、オートマチック自動車等の車両には、複数の前進（Ｄ，３，２，Ｌ）レンジ、後進（Ｒ）レンジ、パーキング（Ｐ）レンジやニュートラル（Ｎ）レンジ等の各シフトレンジの自動変速機における切り換えを、従来のメカニカルな機構に代えて電気的に行うようにした所謂バイワイヤ式のシフト装置が設けられている。このようなシフト装置は、複数のシフト位置に切り換え可能であって、且つ手動操作可能なシフト部材を備えている。
【０００３】
また、前記車両には、前記シフト装置と連携し、前記シフト部材のシフト位置に応じて前記シフト装置から出力された電気信号に基づき前記自動変速機における各シフトレンジの設定（切り換え）を電気的に制御する車両用スイッチシステムが設けられている。
【０００４】
一方、前記車両のエンジンの起動及び停止は、従来、イグニッションスイッチ（スタートスイッチ）にキーを差し込んで回転操作することで行われていた。しかし、近年では、こうしたメカニカルな機構に代えて押圧操作式のパワースイッチ（エンジン起動停止スイッチ）による電気的な操作が提案されており、このパワースイッチは、前記した車両用スイッチシステムに取り込まれている。
【０００５】
このような車両用スイッチシステムでは、前記パワースイッチは、シフト装置の近傍に設けられ、車両のエンジンの起動及び停止、シフトレンジの切り換えがまとまった配置領域内にてコンパクト且つ簡単に行える（特許文献１参照）。また、パワースイッチへの押圧操作のみで、エンジンの起動と停止が行え、キーの差し込み及び回転操作による煩わしさから解放される等の利便性の向上が達成される。
【特許文献１】特開２００６−１５９９４８号公報、図３等
【発明の開示】
【発明が解決しようとする課題】
【０００６】
しかしながら、このような車両用スイッチシステムでは、車両をパーキングロック状態とする（自動変速機をパーキングレンジに切り換える）パーキング操作は、シフト装置で行わねばならない。このため、例えば、パーキング操作とエンジンの停止とを組み合わせて連続して行う場合などにおいて、操作内容が煩雑化する場面が存在する。一例として、車両を停車させた後、エンジンを作動させたままの状態で、車両をパーキングロック状態とし、その後さらにエンジンを停止させるという一連の連続した操作をする場面が挙げられる。このような場合、まず、シフト装置（シフトレバー装置）のシフト部材（シフトレバー）を移動操作（回動操作）して当該シフト部材を一度パーキングのシフト位置に入れた後、さらにパワースイッチを押圧操作してエンジンを停止しなければならない。即ち、この場合は、シフト装置とパワースイッチの２つの操作系を個別に操作することが必要であり、しかも、操作の方法も、シフト部材の移動操作とパワースイッチの押圧操作という全く種類の異なる２つの操作が必要となる。こうした煩瑣な操作は、運転者にとり負担が大きく、思わぬ誤操作の原因となり、事故や車両の故障にも発展しかねない。
【０００７】
本発明は、上記問題点を解決するためになされたものであって、その目的は、例えば、車両のエンジンの停止とパーキングロック操作とを一連の連続した操作で行う場合等において、当該操作内容を簡略化して運転者の負担を軽減できる車両用スイッチシステムを提供することにある。
【課題を解決するための手段】
【０００８】
上記問題点を解決するために、請求項１に記載の発明は、パーキングレンジを含む複数種のシフトレンジが任意に設定可能とされる自動変速機と、該自動変速機をパーキングレンジに切り換えるパーキングアクチュエータと、を備えた車両に設置され、前記車両のエンジンが起動するオン状態と当該エンジンが停止するオフ状態とを設定可能としたエンジン起動停止スイッチと、前記自動変速機をパーキングレンジに切り換えるべく前記パーキングアクチュエータにパーキング信号を送信する車両コントロール部と、を備えた車両用スイッチシステムにおいて、前記車両がエンジンを作動させたまま停車した状態において、前記エンジン起動停止スイッチが所定の時間内で操作されると、前記エンジンが作動状態を維持しつつ、前記車両コントロール部から前記パーキングアクチュエータに前記パーキング信号が送信されて前記自動変速機がパーキングレンジに切り換えられるようにしたこと、を要旨とする。
【０００９】
上記請求項１の構成によれば、車両がエンジンを作動させたまま停車した状態において、そのエンジンの作動状態を維持しつつ、且つ当該車両がパーキングロックされた状態とする操作と、さらにその状態からエンジンを停止する操作とを、単一のエンジン起動停止スイッチに対する同種の操作のみで行うことができる。
【００１０】
請求項２に記載の発明は、請求項１に記載の車両用スイッチシステムにおいて、前記エンジン起動停止スイッチが、押圧操作自在に構成され、該押圧操作によって、エンジンが起動するオン状態とエンジンが停止するオフ状態とを設定可能としていること、を要旨とする。
【００１１】
上記請求項２の構成によれば、車両がエンジンを作動させたまま停車した状態において、そのエンジンの作動状態が維持され、且つ当該車両がパーキングロックされた状態とする操作と、さらにその状態からエンジンを停止する操作とを、単一のエンジン起動停止スイッチに対する押圧操作というシンプル且つ容易な操作のみで行うことができる。
【００１２】
請求項３に記載の発明は、請求項１又は請求項２に記載の車両用スイッチシステムにおいて、前記車両がエンジンを作動させたまま停車した状態において、前記エンジン起動停止スイッチが所定の時間内で操作されると、前記エンジンの作動状態が維持される一方、前記車両コントロール部から前記パーキングアクチュエータに前記パーキング信号が送信されて前記自動変速機がパーキングレンジに切り換えられるようにされ、さらに当該所定の時間を超えて前記エンジン起動停止スイッチが操作されると、前記自動変速機がパーキングレンジに入った状態を維持しながら、前記エンジンが停止するようにしたこと、を要旨とする。
【００１３】
上記請求項３の構成によれば、車両がエンジンを作動させたまま停車した状態から、そのエンジンの作動状態を維持しつつ、且つ当該車両をパーキングロック状態とする操作と、さらにその状態からエンジンを停止する操作とを、エンジン起動停止スイッチに対する操作時間を延長していくこと（操作時間を変えること）のみで行うことができる。
【００１４】
請求項４に記載の発明は、請求項１〜請求項３のいずれか一項に記載の車両用スイッチシステムにおいて、前記自動変速機がパーキングレンジに入った状態、且つ、前記エンジンが作動状態である場合において、前記エンジン起動停止スイッチの操作により、その操作時間に拘わらず直ちに前記エンジンが停止するようにしたこと、を要旨とする。
【００１５】
上記請求項４の構成によれば、車両の自動変速機がパーキングレンジに入った状態、且つ、当該車両のエンジンが作動状態である場合において、エンジン起動停止スイッチの操作時間に拘わらず直ちにエンジンを停止させることができ、前記した場合におけるエンジン停止の操作を簡単化することができる。
【００１６】
請求項５に記載の発明は、パーキングレンジを含む複数種のシフトレンジが任意に設定可能とされる自動変速機と、該自動変速機をパーキングレンジに切り換えるパーキングアクチュエータと、エンジンの起動及び停止を制御するエンジンコントロール部と、を備えた車両に設置され、前記自動変速機をパーキングレンジに設定可能とするとともに、前記車両のエンジンが起動するオン状態と当該エンジンが停止するオフ状態とを設定可能としたパーキングポジションスイッチと、前記自動変速機をパーキングレンジに切り換えるべく前記パーキングアクチュエータにパーキング信号を送信するとともに、前記車両のエンジンを停止状態とするべく前記エンジンコントロール部にエンジン停止信号を送信する車両コントロール部と、を備えた車両用スイッチシステムであって、前記車両がエンジンを作動させたまま停車した状態において、前記パーキングポジションスイッチが所定の時間内で操作されると、前記エンジンが作動状態を維持しながら、前記車両コントロール部から前記パーキングアクチュエータに前記パーキング信号が送信されて前記自動変速機がパーキングレンジに切り換えられ、さらに当該所定の時間を超えて前記パーキングポジションスイッチが操作されると、前記自動変速機がパーキングレンジに入った状態を維持するとともに、前記車両コントロール部から前記エンジンコントロール部にエンジン停止信号が送信され、前記エンジンが停止するようにしたこと、を要旨とする。
【００１７】
上記請求項５の構成によれば、車両がエンジンを作動させたまま停車した状態において、そのエンジンの作動状態が維持されるとともに、当該車両がパーキングロックされた状態とする操作と、さらにその状態からエンジンを停止する操作とを、単一のパーキングポジションスイッチに対する同種の操作のみで行うことができ、しかも、車両がエンジンを作動させたまま停車した状態において、そのエンジンの作動状態が維持されるとともに、当該車両がパーキングロックされた状態とする操作と、さらにその状態からエンジンを停止する操作とを、前記パーキングポジションスイッチに対する操作時間を延長していくこと（操作時間を変えること）のみで行うことができる。
【発明の効果】
【００１８】
本発明の車両用スイッチシステムによれば、車両のエンジンの停止とパーキングロック操作とを一連に連続して行う場合において、当該操作内容を簡単化して運転者の負担を軽減できるようになる。
【発明を実施するための最良の形態】
【００１９】
以下、本発明を具体化した実施形態について図面に従って説明する。本実施形態の車両用スイッチシステム１は、図１に示すように、パーキングレンジを含む複数種のシフトレンジが任意に設定可能とされる自動変速機５と、該自動変速機５をパーキングレンジに切り換えるパーキングアクチュエータ６とを備えたオートマチック自動車（以下、単に「車両」という。）に設けられるものである。
【００２０】
該車両は、当該車両の動力を生成するエンジン７と、該エンジン７に対して制御信号を送信可能に接続されたエンジンコントロールコンピュータ（エンジンコントロール部）８と、前記自動変速機５に対して変速比が変更されるように作動連結されたドライブシャフト４と、該ドライブシャフト４に対して、エンジン７からの動力が伝達されるように作動連結されたタイヤ３とを備えている。さらに、前記車両は、その制動時に運転者が脚踏（手動）で操作するフットブレーキ９（図２（ａ）参照）と、該フットブレーキ９に作動連結され、運転者の脚踏による押圧力を油圧力に変換するマスターシリンダ９ａと、該マスターシリンダ９ａに作動連結され、前記油圧力によりタイヤ３に制動力を与えるブレーキシリンダ９ｂとを備えている。尚、エンジン７は、そこで生成された動力が自動変速機５で選択されたシフトレンジに対応した変速比でドライブシャフト４を介してタイヤ３に伝達されるように当該自動変速機５に作動連結されている。
【００２１】
前記車両用スイッチシステム１は、運転者によって手動で操作されるパワースイッチ（エンジン起動停止スイッチ）１１と、該パワースイッチ１１からの接点信号を処理すべく電気的に接続されたスイッチコントロールコンピュータ１２と、該スイッチコントロールコンピュータ１２からの制御信号を受信すべく電気的に接続された車両コントロールコンピュータ（車両コントロール部）１３とを備えている。また、この車両用スイッチシステム１は、車両コントロールコンピュータ１３が、パーキングアクチュエータ６に対してパーキング信号（制御信号）を送受信可能に接続されている。そして、パーキングアクチュエータ６が、パワースイッチ１１からの接点信号に応じて、車両コントロールコンピュータ１３から送信されたパーキング信号を受信すると、パーキングアクチュエータ６によって自動変速機５がパーキングレンジに切り換えられるとともに、車両がパーキングロック状態となる。また、この車両用スイッチシステム１は、車両コントロールコンピュータ１３が、エンジンコントロールコンピュータ８に対してエンジン起動信号又は停止信号（制御信号）を送受信可能に接続されている。そして、エンジンコントロールコンピュータ８が、パワースイッチ１１からの接点信号に応じて、車両コントロールコンピュータ１３からエンジン起動信号又は停止信号を受信すると、該信号に応じてエンジンコントロールコンピュータ８によってエンジン７が制御され、起動又は停止する。
【００２２】
前記パワースイッチ１１は、図２（ａ）に示すように、前記車両のインストルメントパネル面１００（以下、インパネ面１００という。）の略中央部に配置されているとともに、図２（ａ）及び図２（ｂ）に示すように、車両のシフトレバー装置２の上方近傍部位に配置されている。該シフトレバー装置２は、シフトレバー２１と、該シフトレバー２１の先端部に装着された操作ノブ２２とを備えている。さらに、このシフトレバー装置２は、図２（ｂ）に示すように、シフトレバー２１のシフト方向及びセレクト方向にそれぞれ辺々を沿わせる矩形状のシフト位置表示面２ａを備えている。該シフト位置表示面２ａには、シフトレバー２１が遊挿される「ｈ字」形のシフトパターン（ゲートパターン）２１ａが形成されている。このシフト位置表示面２ａ上、且つ前記シフトパターン２１ａの近傍には、シフトレバー２１の各シフト位置に対応して、「Ｒ（リバース）」、「Ｎ（ニュートラル）」、「Ｄ（ドライブ）」、「Ｐ（パーキング）」、及び「Ｂ（回生ブレーキ）」の表示がされている。そして、前記シフトレバー２１は、シフトパターン２１ａに沿って案内され、「Ｒ」、「Ｎ」、「Ｄ」、「Ｐ」、及び「Ｂ」の各シフト位置に位置し得るように構成されている。尚、図２（ａ）及び図２（ｂ）に示すシフトレバー装置２は、所謂モーメンタリー（自己復帰）機構に構成されており、シフトレバー２１を各シフト位置に位置させた場合にのみ自動変速機５が各シフトレンジに設定されるとともに、放せば、同図に示すように、中立位置（「Ｂ」のシフト位置の直上の位置）に復帰するようになっている。
【００２３】
また、前記パワースイッチ１１は、押圧操作自在且つ当該インパネ面１００に対して出没自在とされており、該押圧操作によって、エンジン７が起動するオン状態と当該エンジン７が停止するオフ状態とを設定可能とされている。詳しくは、車両のエンジン７が停止した状態において、デフォルト（初期）の状態から運転者が最初にパワースイッチ１１を押圧操作すると、該パワースイッチ１１がオン状態となるとともに、車両のエンジン７が起動する。一方、このパワースイッチ１１のオン状態から更にパワースイッチ１１を押圧操作すると、該パワースイッチ１１がオフ状態となるとともに、車両のエンジン７が停止する。尚、このパワースイッチ１１は、パーキングポジションスイッチとしても機能し、前記した押圧操作によって、自動変速機５がパーキングレンジ（「Ｐ」レンジ）に入る（切り換わる）状態を設定可能とされている。
【００２４】
本実施形態の車両用スイッチシステム１は、以下のような動作を行う点に特徴を有する。即ち、車両がエンジン７を作動させたまま停車した状態において、パワースイッチ１１が所定の時間内で操作されると、エンジン７が作動状態を維持しつつ、車両コントロールコンピュータ１３からパーキングアクチュエータ６にパーキング信号が送信されて自動変速機５がパーキングレンジに切り換えられる。具体的には、車両がエンジン７を作動させたまま停車した状態において、パワースイッチ１１が２秒以内で操作されると、エンジン７が作動状態を維持しつつ、車両コントロールコンピュータ１３からパーキングアクチュエータ６にパーキング信号が送信されて自動変速機５がパーキングレンジに切り換えられるとともに、車両がパーキングロック状態となる。尚、この場合、パワースイッチ１１の操作前の自動変速機５のシフトレンジ（シフトレバー２１のシフト位置）は、「Ｒ」、「Ｎ」、「Ｄ」のいずれでも構わない。
【００２５】
尚、本実施形態においては、車両がエンジン７を作動させたまま停車した状態において、パワースイッチ１１が２秒（所定の時間）内で操作されると、前述したように、エンジン７が作動状態が維持される一方、車両コントロールコンピュータ１３からパーキングアクチュエータ６にパーキング信号が送信されて自動変速機５がパーキングレンジに切り換えられる。さらに当該２秒（所定の時間）を超えてパワースイッチ１１が操作されると、自動変速機５がパーキングレンジに入った状態を維持するとともに、エンジン７が停止するように構成されている。
【００２６】
また、本実施形態では、自動変速機５がパーキングレンジに入った状態、且つ、エンジン７が作動状態である場合においては、パワースイッチ１１の操作により、その操作時間に拘わらず直ちにエンジン７が停止するようにされている。
【００２７】
本実施形態では、パワースイッチ１１の操作時間の判断は、スイッチコントロールコンピュータ１２（に格納されたプログラム）（図１参照）において行われる。そして、当該操作時間が２秒（所定の時間）内の場合には、スイッチコントロールコンピュータ１２から、車両コントロールコンピュータ１３に第１の制御信号が送信され、該第１の制御信号に基づいて車両コントロールコンピュータ１３からパーキングアクチュエータ６にパーキング信号が送信されて自動変速機５がパーキングレンジに設定される。一方、当該操作時間が２秒（所定の時間）を超えると、車両コントロールコンピュータ１３に第２の制御信号が送信され、該第２の制御信号に基づいて車両コントロールコンピュータ１３からエンジンコントロールコンピュータ８にエンジン停止信号が送信されてエンジン７が停止状態となる。ここで、このように操作時間が２秒を超えた場合でも、自動変速機５がパーキングレンジに入った状態は維持される。
【００２８】
また、本実施形態では、エンジン７が作動しているか、或いは、停止しているかについての判断、及び、自動変速機５がパーキングレンジに設定されているか、或いは、それ以外のシフトレンジに設定されているかについての判断は、それぞれの状態に応じて、車両コントロールコンピュータ１３（図１参照）において行われる。詳しくは、パーキングアクチュエータ６又はエンジンコントロールコンピュータ８から送信される電気信号に基づいて車両コントロールコンピュータ１３において行われる。そして、これにより、自動変速機５がパーキングレンジに入った状態であり、且つ、エンジン７が作動状態であることが車両コントロールコンピュータ１３において判断（認知）された場合には、パワースイッチ１１を押圧操作すると、その操作時間に拘わらず、車両コントロールコンピュータ１３からエンジンコントロールコンピュータ８にエンジン停止信号が送信される。これにより、エンジンコントロールコンピュータ８によってエンジン７が制御され、直ちにエンジン７が停止するようになっている。
【００２９】
上述した操作内容を下表１に纏めて示す。
【００３０】
【表１】
2008025633.tif 000003
また、上述した操作において、車両がエンジン７を作動させたまま停車した状態において、自動変速機５がパーキングレンジ（車両のパーキングロック）に入った状態を解除するには、従来とおり、フットブレーキ９（図２（ａ）参照）を踏んだ状態でシフトレバー２１を「Ｒ」、「Ｎ」、「Ｄ」のいずれかに位置させればよい。
【００３１】
尚、本実施形態の車両用スイッチシステム１では、上述した操作以外の操作である電源切換の操作、及び、エンジン７の起動と車両の発進の操作については、従来と同様である。即ち、電源切換の操作では、フットブレーキ９を踏むことなく、パワースイッチ１１を押圧操作すると、当該操作に応じて、（１）電源オフ⇒（２）Ａｃｃ（アクセサリー電源）オン⇒（３）ＩＧ（イグニッション電源）オン⇒（１）電源オフ、と順次切り替わるようになっている。また、エンジン７の起動と車両の発進の操作では、フットブレーキ９を踏んだ状態でパワースイッチ１１を２秒（所定時間）以上押圧操作すると、エンジン７が起動する。また、その状態から車両を発進させるには、フットブレーキ９を踏んだ状態でシフトレバー２１を「Ｒ」又は「Ｄ」に位置させればよい。この場合、上述したパーキングレンジ（パーキングロック）の状態は自動で解除される。また、車両が走行中においては、パワースイッチ１１をどのように操作しても、車両コントロールコンピュータ１３からパーキングアクチュエータ６又はエンジンコントロールコンピュータ８へは、何らの制御信号も送信されず、車両においては、パワースイッチ１１の操作前の状態が維持されるように構成されている。
【００３２】
本実施形態の車両用スイッチシステム１によれば、以下のような作用・効果を得ることができる。
（１）本実施形態によれば、車両がエンジン７を作動させたまま停車した状態において、パワースイッチ１１が２秒（所定の時間）内で操作されると、エンジン７が作動状態を維持しつつ、車両コントロールコンピュータ１３からパーキングアクチュエータ６にパーキング信号が送信されて自動変速機５がパーキングレンジに切り換えられるように構成されている。このため、車両がエンジン７を作動させたまま停車した状態において、該エンジン７を作動状態を維持し、且つ、当該車両をパーキングロック状態とする操作と、さらにその状態からエンジン７を停止する操作とを、単一のパワースイッチ１１に対する同種の操作のみで行うことができる。これにより、運転者の負担を軽減し、車両の安全性を確保することができる。
【００３３】
（２）本実施形態によれば、パワースイッチ１１が、押圧操作自在に構成され、該押圧操作によって、エンジン７が起動するオン状態とエンジン７が停止するオフ状態との設定と、自動変速機５がパーキングレンジに入る設定が可能とされている。このため、車両がエンジンを作動させたまま停車した状態において、そのエンジン７が作動状態を維持しながら、且つ当該車両をパーキングロック状態とする操作と、さらに、その状態からエンジン７を停止する操作とを、単一のパワースイッチ１１に対する押圧操作というシンプル且つ容易な操作のみで行うことができる。これにより、運転者の負担がさらに軽減される。
【００３４】
（３）本実施形態によれば、車両がエンジン７を作動させたまま停車した状態において、パワースイッチ１１が２秒（所定の時間）内で操作されると、エンジン７が作動状態を維持しつつ、車両コントロールコンピュータ１３からパーキングアクチュエータ６にパーキング信号が送信されて自動変速機５がパーキングレンジに切り換えられる。さらに当該２秒を超えてパワースイッチ１１が操作されると、自動変速機５がパーキングレンジに入った状態を維持するとともに、車両コントロールコンピュータ１３からエンジンコントロールコンピュータ８にエンジン停止信号が送信され、これによりエンジン７が停止するように構成されている。これにより、車両がエンジン７を作動させたまま停車した状態から、そのエンジン７の作動状態を維持しつつ、且つ当該車両がパーキングロックされた状態とする操作と、さらにその状態からエンジン７を停止する操作とを、パワースイッチ１１に対する操作時間を延長していくこと（操作時間を変えること）のみで行うことができる。これにより、運転者の負担がさらに軽減される。
【００３５】
（４）本実施形態によれば、自動変速機５がパーキングレンジに入った状態（車両がパーキングロックされた状態）、且つ、車両のエンジン７が作動状態である場合において、パワースイッチ１１の操作により、その操作時間に拘わらず直ちにエンジン７が停止するようにされている。このため、自動変速機５がパーキングレンジに入った状態、且つ、当該車両のエンジン７が作動状態である場合において、パワースイッチ１１の操作時間に拘わらず直ちにエンジン７を停止させることができ、前記の場合におけるエンジン７の停止操作を簡単化することができる。これにより、運転者の負担がさらに軽減される。
【００３６】
（５）パワースイッチ１１が、押圧操作自在に構成され、該押圧操作によって、エンジン７が起動するオン状態とエンジン７が停止するオフ状態との設定と、自動変速機５がパーキングレンジに入る設定が可能とされている。即ち、一のスイッチにおいて、操作時間を変えることによってパワースイッチとパーキングポジションスイッチの機能が分担されるようにしている。このため、その操作性が損われることがなく、車両のスイッチ系統の合理化が図れるとともに、シフト装置からパーキングレンジに切り換える機能を省略でき、シフト装置の簡素化が図れるようになる。また、このように同一のスイッチで両機能を共用できるようにしても、パワースイッチとパーキングポジションスイッチとは、いずれも車両（のエンジン）を停止（停車）させるものとして機能上の共通点があるので、運転者を混乱させる虞が少ない。また、本実施形態のパワースイッチ１１は、車両が停車した状態に限って使用可能であるので、シフトレンジを「Ｐ」に切り換えようとして、誤って操作してエンジン７をオフ状態としても、車両が走行状態から急停止する危険性がない。
【００３７】
尚、上記実施形態は以下のように変形してもよい。
・本実施形態では、車両がエンジン７を作動させたまま停車した状態において、パワースイッチ１１が２秒（所定の時間）内で操作されると、エンジン７が作動状態を維持しつつ、車両コントロールコンピュータ１３からパーキングアクチュエータ６にパーキング信号が送信されて自動変速機５がパーキングレンジに切り換えられる。さらに２秒を超えてパワースイッチ１１が操作されると、自動変速機５がパーキングレンジに入った状態を維持するとともに、エンジン７が停止するようにした。しかし、これに限られず、パワースイッチ１１の操作が、エンジン７の起動及び停止と、自動変速機５のパーキングレンジへの設定（切り換え）とを兼ねるものであればよい。例えば、上記２秒を超えてパワースイッチ１１が操作されないでも、当該２秒の時間内で再びパワースイッチ１１を操作すれば、エンジン７が停止するように構成することもできる。このように、パワースイッチ１１（パーキングポジションスイッチ）の操作が、エンジン７の起動及び停止と、自動変速機５のパーキングレンジへの設定とを兼ねるものでありさえすればよい。これによれば、例えば、車両をエンジン７を作動させたまま停車させた後、そのエンジン７が作動したままの状態で、車両をパーキングロック状態とし、その後、さらにそのパーキングロック状態のままエンジン７を停止させるという一連の連続した操作を、単一のパワースイッチ１１に対する同種の操作（押圧操作）のみで行うことができる。
【００３８】
・上記実施形態では、車両用スイッチシステム１にスイッチコントロールコンピュータ１２を設け、これによりパワースイッチ１１の操作時間の判断を行わせたが、このスイッチコントロールコンピュータ１２は必ずしも必要ではなく、当該判断を車両コントロールコンピュータ１３に行わせることも可能である。
【００３９】
・上記実施形態では、パワースイッチ１１に対する所定の時間（操作時間）を２秒としたが、これに限られず、それより短い１秒や、３秒以上とすることも勿論可能である。さらに、前記した実施形態および変形例より把握できる技術的思想について以下に記載する。
【００４０】
・請求項１〜請求項４のいずれか一項に記載の車両用スイッチシステムにおいて、前記エンジン起動停止スイッチが、前記車両のシフト位置を切り換えるシフト装置の上方近傍部位に配置されている車両用スイッチシステム。この構成によれば、車両のエンジンの起動及び停止、シフト位置の切り換えがまとまった配置領域内にてコンパクト且つ簡単に行えるとともに、エンジン起動停止スイッチとシフト装置の視認性が向上して安全性がさらに高められる。
【図面の簡単な説明】
【００４１】
【図１】本発明の実施の形態にかかる車両用スイッチシステムが含まれるオートマチック自動車（車両）用制御システムのブロック図。
【図２】（ａ）は、本発明の実施の形態にかかる車両用スイッチシステムが、オートマチック自動車に設けられた状態を示す斜視図、（ｂ）は、同車両用スイッチシステムのパワースイッチと、車両のシフト装置の配置状態を示す平面図。
【符号の説明】
【００４２】
１…車両用スイッチシステム、５…自動変速機、６…パーキングアクチュエータ、７…エンジン、１１…パワースイッチ（エンジン起動停止スイッチ）、１３…車両コントロールコンピュータ（車両コントロール部）。
【図１】
2008025633.tif 000004
【図２】
2008025633.tif 000005